(57)【要約】【課題】専用端末を必要とせず、設置の手間もかからず、さらに通信コストを抑え、電子化による意見集約を行う技術を提供すること。【解決手段】特定の場所に集合している参加者の意見を集約する意見集約システムは、格納されたバーコード化アプリケーションを公開する手段３０と、前記参加者の意見を入力し、ダウンロードした前記公開されたバーコード化アプリケーションを用いて前記入力された意見情報をバーコード化する手段１０１と、前記バーコード化された意見情報を集約し、その結果を所定の形式で表示する手段１０とを備えた。【選択図】      図１
2006059240.tif 000002
【特許請求の範囲】
【請求項１】
特定の場所に集合している参加者の意見を集約する意見集約システムにおいて、  格納されたバーコード化アプリケーションを公開する手段と、
前記参加者の意見を入力し、ダウンロードした前記公開されたバーコード化アプリケーションを用いて前記入力された意見情報をバーコード化する手段と、
前記バーコード化された意見情報を集約し、その結果を所定の形式で表示する手段とを具備することを特徴とする意見集約システム。
【請求項２】
請求項１に記載の意見集約システムにおいて、前記バーコード化された意見情報を読み取る手段を更に具備することを特徴とする意見集約システム。
【請求項３】
請求項２に記載の意見集約システムにおいて、前記読み取られた意見情報を記憶する手段を更に具備し、
前記意見情報がテキスト形式の場合には、意見集約単位にテーマ名と全ての意見情報を記憶し、前記意見情報が選択形式の場合には、意見集約単位にテーマ名と意見情報に該当する選択値の集約数をカウントアップして記億することを特徴とする意見集約システム。
【請求項４】
特定の場所に集合している参加者の携帯端末を用いて参加者の意見を集約する意見集約システムに適用されるバーコード化アプリケーション提供サーバにおいて、
前記携帯端末によって入力された意見情報を２次元バーコード化するバーコード化アプリケーションを格納する手段を備え、
前記格納したバーコード化アプリケーションを前記携帯端末によって利用可能にするために公開することを特徴とするバーコード化アプリケーション提供サーバ。
【請求項５】
特定の場所に集合している参加者の意見を集約する意見集約システムに適用される情報端末において、
バーコード化アプリケーションをダウンロードする手段と、
意見情報を入カする手段と、
前記バーコード化アプリケーションを用いて前記入力された意見情報を２次元バーコード化する手段と、
前記２次元バーコードを画面に表示する手段とを具備することを特微とする情報端末。
【請求項６】
特定の場所に集合している参加者の携帯端末を用いて参加者の意見を集約する意見集約システムに適用される意見集約サーバにおいて、
前記携帯端末からバーコード化された意見を読み取る手段と、
前記バーコード化された意見を翻訳する手段と、
前記翻訳された意見をテキスト形式か、選択形式かを判定して、前記判定結果に基づいて、所定の形式に従って記憶する手段と、
前記記憶された意見情報を表示する手段とを具備することを特徴とする意見集約サーバ。
【請求項７】
特定の場所に集合している参加者の意見を集約する意見集約方法において、
格納されたバーコード化アプリケーションを公開し、
前記参加者の意見を入力すると共に、ダウンロードした前記公開されたバーコード化アプリケーションを用いて前記入力された意見情報をバーコード化し、
前記バーコード化された意見情報を集約し、その結果を所定の形式で表示することを具備することを特徴とする意見集約方法。
【請求項８】
特定の場所に集合している参加者の携帯端末を用いて参加者の意見を集約する意見集約方法において、
前記携帯端末によって入力された意見情報を２次元バーコード化するバーコード化アプリケーションを格納し、
前記格納したバーコード化アプリケーションを前記携帯端末によって利用可能にするために公開することを特徴とする意見集約方法。
【請求項９】
特定の場所に集合している参加者の意見を集約する意見集約において、
バーコード化アプリケーションをダウンロードし、
意見情報を入カし、
前記バーコード化アプリケーションを用いて前記入力された意見情報を２次元バーコード化し、
前記２次元バーコードを画面に表示することを具備することを特微とする意見集約方法。
【請求項１０】
特定の場所に集合している参加者の携帯端末を用いて参加者の意見を集約する意見集約方法において、
前記携帯端末からバーコード化された意見を読み取り、
前記バーコード化された意見を翻訳し、
前記翻訳された意見をテキスト形式か、選択形式かを判定して、前記判定結果に基づいて、所定の形式に従って記憶し、
前記記憶された意見情報を表示することを具備することを特徴とする意見集約方法。
【発明の詳細な説明】
【技術分野】
【０００１】
本発明はワークショップなどの特定の場所における参加者の意見集約を行うための技術に関し、特に電子化による意見の集約が可能な技術に関する。
【背景技術】
【０００２】
地域の課題解決や、よりよい社会生活を築くために地域住民や有識者などが特定の会場に集合し各地でワークショップを開催していることが知られている。  
上記のワークショップにおけるブレインストーミング法やＫＪ法（非特許文献１参照）では、紙片を模造紙やホワイトボードなどに貼り付けて参加者の意見を集約している。この意見集約を電子化により行おうとした場合、ディスプレイにタッチセンサがついたマルチメディアディスプレイ（非特許文献２参照）などを利用する技術が知られている。しかし、マルチメディアディスプレイは高額であり持ち運びが困難であるという問題があった。パーソナルコンピュータなどの情報端末を利用する技術（非特許文献３参照）も知られているが、参加者全員分の端末が必要であり、設置に手間がかかるという問題があった。
【０００３】
比較的参加者が多いシンポジウムなどにおいては、ｙｅｓ／ｎｏなどの選択形式の意見集約に、参加者全員に専用端末を配り、迅速で正確な意見集約を行う技術（非特許文献４参照）が知られているが、参加者全員分の専用端末を必要とする等の制約があった。
【非特許文献１】川喜多二郎著、「ＫＪ法一揮沌をして語らしめる」、中央公論社、１９８６年、ｐ．１２１一１６９
【非特許文献２】ｈｔｔｐ：／／ｗｗｗｂｓｃ．ｐｉｏｎｅｅｒ．ｃｏ．ｊｐ／ｃａｔａｌｏｇ／ｃｙｂｅｒｂｏａｒｄ／ｃｏｎｆｅｒｅｎｃｅ／ｃｏｎｆｅｒｅｎｃｅ＿ｓｖ＿ｔｏｐ．ｈｔｍｌ
【非特許文献３】ｈｔｔｐ：／／ｗｗｗ．ｎｔｔ−ａｔ．ｃｏ．ｊｐ／ｐｒｏｄｕｃｔ／ｍｅｅｔｉｎｇｐｅｒｆｅ２／ｉｎｄｅｘ．ｈｔｍｌ
【非特許文献４】ｈｔｔｐ：／／ｗｗｗ．ｎａｉｓ−ｊ．ｃｏｍ／ｐｌｃ／ｐｌｃ＿ａｐｐｌｉｃａｔｉｏｎ／ａｐｐ＿ｊｉｒｅｉ／ａｐｐ＿ｊｉｒｅｉ＿ｋｏ０２．ｈｔｍｌ
【発明の開示】
【発明が解決しようとする課題】
【０００４】
本発明は、ワークショップにおけるブレインストーミングやＫＪ法などにおける電子化による参加者の意見を集約する際において、ワークショップなどの特定の場所における参加者の意見集約に関わり、専用端末を必要とせず、設置の手間もかからず、さらに通信コストを抑え、電子化による意見集約を行う技術を提供することを目的とする。具体的には、下記の課題を解決することを目的とする。  
（１）  ディスプレイにタッチセンサがついたマルチメディアディスプレイは高額である上、持ち運びが困難であること。  
（２）  パーソナルコンピュータなどの情報端末を利用する場合は参加者全員分の端末が必要となり、さらに設置に手間がかかるということ。  
（３）  選択式の意見集約に利用される専用端末も、参加者全員分の端末が必要となり設置の手間もかかるほか、文字入力などの機能がないために限定的な利用方法となってしまうということ。
【課題を解決するための手段】
【０００５】
本発明の局面に係る発明は、格納されたバーコード化アプリケーションを公開する手段と、前記参加者の意見を入力し、ダウンロードした前記公開されたバーコード化アプリケーションを用いて前記入力された意見情報をバーコード化する手段と、前記バーコード化された意見情報を集約し、その結果を所定の形式で表示する手段とを具備することを特徴とする。
【発明の効果】
【０００６】
本発明によって、ワークショップなどの特定の場所における参加者の意見集約に関り、専用端末を必要とせず、設置の手間もかからず、さらに通信コストを抑え、電子化による意見集約を行うことが可能となる。また、意見情報の受け渡しの際には２次元バーコードの読み取りで行われるため、守秘性が要求される意見集約においても有効である。
【０００７】
本発明は、参加者の意見集約において、携帯端末やＰＤＡを利用し、携帯端末やＰＤＡから入力された情報がサーバに蓄積され、掲示板を模した画面上に表示される。その際、サーバを、意見内容のバーコード翻訳用サーバと意見集約用サーバに分け、意見の守秘性を保つことができる。
【発明を実施するための最良の形態】
【０００８】
図面を参照して本発明の実施の形態を説明する。
【０００９】
図１は、本発明の一実施形態に係る意見集約システムの概略構成を示すブロック図である。図１において、意見集約サーバ１０は、バーコード読取装置（バーコードリーダ）２０が接続されたスタンドア口ンの構成である。バーコード化アプリケーション提供サーバ３０は、インターネットＮＥＴに接続されている。携帯端末１０１、１０２、１０３、１０４、１０５、・・・は、バーコード化アプリケーション提供サーバ３０と同様にインターネットＮＥＴに接続される。ここで、携帯端末１０１、１０２、１０３、１０４、１０５、・・・は、それぞれＬＣＤ等の表示部と、テンキーやソフトキーボード等の入力部とを有している。
【００１０】
各サーバは以下のように構成されている。  
意見集約サーバ１０は、バーコード読取装置２０で読み取った情報を格納する記憶装置を有する。バーコード化アプリケーション提供サーバ３０は、バーコード化アプリケーションを格納する記憶装置を有し、ダウンロードなどでバーコード化アプリケーションを携帯端末１０１、１０２、１０３、１０４、１０５、・・・に提供する。なお、バーコード化アプリケーション提供サーバ３０の記憶装置に格納されるバーコード化アプリケーションは、携帯端末１０１、１０２、１０３、１０４、１０５、・・・のＯＳ（Operating System）や端末に依存するＡＰＩ（Application Program Interface）の種類に応じたアプリケーションを格納する。
【００１１】
図１において、携帯端末１０１、１０２、１０３、・・・は、Ｊａｖａ（登録商標）言語で作成したプログラムの実行環境が搭載された携帯端末であり、携帯端末１０４、１０５、・・・はＰＤＡである（携帯端末の構成は基本的に同じであるので、以下、単に「携帯端末１０１」と記載する）。  
図２は、携帯端末１０１の構成を示すブロック図である。符号１１１は、意見情報を入力し、２次元バーコードを表示するための処理に必要な機能である。記憶装置１１２は、機能１１１を実現するバーコード化アプリケーションが記憶される。
【００１２】
図３、図４、図５に、本発明の一実施形態に係るバーコード化アプリケーション提供サーバ３０、携帯端末１０１、意見集約サーバ１０のそれぞれの動作フローを示す。
【００１３】
事前に２次元バーコード化アプリケーションをバーコード化アプリケーション提供サーバ３０に格納し（Ｓａ１）、２次元バーコード化アプリケーションを公開する（Ｓａ２）ことで、参加者自身が２次元バーコード化アプリケーションをダウンロード可能な状態にする。参加者は、事前に２次元バーコード化アプリケーションをバーコード化アプリケーション提供サーバ３０から携帯端末１０１にダウンロードする（Ｓｂ１、Ｓｂ２、Ｓｂ３）。ダウンロードする際は、参加者自身が所有する携帯端末１０１のＯＳや端末に依存するＡＰＩ（Application Program Interface）の種類にあったアプリケーションをダウンロードする（Ｓｂ３）。
【００１４】
ダウンロード後、ダウンロードしたアプリケーションを起動する（Ｓｂ４）。
【００１５】
ワークショップの進捗に応じ、あるテーマにおいて意見を求められた段階で、バーコード化アプリケーション上で意見を入力する（Ｓｂ５）。情報入力時の携帯端末１０１の画面を図６に示す。図６において、情報を入力する際には携帯端末１０１が有する入力部から行われる。選択形式の場合は、その選択条件に定義された数値あるいは記号や文字で入力する。また、テキスト形式の場合は文章により入力する。このように、参加者が所有する携帯端末１０１を利用することで、これまで使い慣れている操作方法により意見情報を入力することができる。
【００１６】
次に確定ボタンを押下する（Ｓｂ６）と、自動的に２次元バーコードが生成され画面に表示される（Ｓｂ７）。２次元バーコードが表示された携帯端末１０１の画面を図７に示す。
【００１７】
２次元バーコードが表示された携帯端末１０１の図７の画面を意見集約サーバ１０に接続されたバーコード読取装置２０にかざし（Ｓｂ８）、意見集約サーバ１０に情報を転送する。繰り返し実施する場合は（Ｓｂ９）、意見情報の入力（Ｓｂ５）に戻り処理を繰り返す。
【００１８】
ワークショップの進捗に応じ、別なテーマで意見を求められた場合も、意見情報の入力（Ｓｂ５）に戻り処理を繰り返す。
【００１９】
なお、上記のステップにおいて、バーコード化アプリケーションを起動してから（Ｓｂ４）、バーコード化アプリケーション上で意見情報を入力しているが（Ｓｂ５）、これに限らず、意見情報の入力後（Ｓｂ５）に、入力情報を確定してから（Ｓｂ６）、バーコード化アプリケーションを起動してバーコード化してもよい。また、バーコード化アプリケーションは、予め起動しておいて、入力情報が確定してから、バーコード化アプリケーションに情報を引き渡してバーコード化してもよい。
【００２０】
意見集約サーバにおいては、前述したステップＳｂ５により２次元バーコードを読み取り（Ｓｃ１）、２次元バーコードの翻訳を行う（Ｓｃ２）。翻訳された意見情報は、後述の管理方法により意見情報を格納する（Ｓｃ３、Ｓｃ４、Ｓｃ５）。参加者全員の意見を集約するまで、ステップＳｃ１からステップＳｃ６動作を繰り返し、集約後、集約された意見情報の結果を画面等に表示する（Ｓｃ７）。上述のように、ワークショップの進捗に応じ、別なテーマで意見を求める場合（Ｓｃ８）、バーコード読取装置による２次元バーコードの読み取り（Ｓｃ１）に戻り処理を繰り返す。
【００２１】
意見集約サーバ１０では、図７の２次元バーコード画面をステップＳｃ１の処理で読み取り、ステップＳｃ２の処理でバーコードを翻訳し、その都度、意見情報を記憶する。意見情報の記憶は、意見集約のテーマ単位ごとに集約し管理される。意見情報の管理は、例えば、図８や図９のようにテキスト形式と選択形式ごとにそれぞれ異なる形式で管理される。テキスト形式による意見集約の場合は（Ｓｃ４）、意見集約のテーマ単位にテキスト形式の意見情報を全て記録する（図８）。選択形式による意見集約の場合は（Ｓｃ５）、意見集約のテーマ単位ごとにバーコード読取装置２０で読み取った意見情報に該当する選択値の集約数をカウントアップする（図９）。
【００２２】
これらの集約結果は、テキスト形式による意見集約の場合は図１０、選択形式による意見集約の場合は図１１のように表示することで、特定の場所で参加者が実際に集合したワークショップをこれまでと同様に行うことができるほか、選択形式の意見集約の結果を元にした議論も即座に行うことができる。
【００２３】
上記のように本発明の一実施形態においては、ブレインストーミング法やＫＪ法などの手法による参加者の意見集約において、その結果を即座に得るため、現在多くの人が連絡手段や情報処理手段として所有しているＪａｖａ（登録商標）言語で作成したプログラムの実行環境が搭載された携帯端末やＰＤＡを、情報入力ツールとして利用する。
【００２４】
ＰＤＡを含む情報入力ツールとしての携帯端末でバーコード化アプリケーションを実行し、このアプリケーション上でテキスト形式の場合は文章で、選択形式の場合は数値あるいは文字や記号を入力すると、入力した意見情報を自動で２次元バーコード化されて携帯端末の画面上に表示される。その２次元バーコード画面をサーバに付随したバーコード読取装置を介して情報を登録することにより、守秘性を保ちつつ通信コストを抑えると同時に遅延がない確実な情報転送を実現することができる。
【００２５】
そして、サーバで読み取った情報は、意見集約のテーマ毎にテキスト形式と選択形式で個々に管理し、画面に集約された結果を表示し、投影機を介してスクリーンに表示することで、実際に行われるこれまでのワークショップと同様の議論を行うことができる。
【００２６】
このように、本発明の実施形態では、ブレインストーミング法やＫＪ法などの手法による参加者の意見集約において、その結果を即座に得るため、現在多くの人が連絡手段として所有しているＪａｖａ（登録商標）言語で作成したプログラムの実行環境が搭載された携帯端末やＰＤＡを、情報入力ツールとして利用することで、ＰＤＡを含む携帯端末から入力された情報がサーバに蓄積される。また、掲示板を模した画面上に、個々の携帯端末から読み取った情報を紙片同様に、例えば、スクリーン等の表示装置に表示するなどにより、これまで同様にその場での議論を行うことが可能である。
【００２７】
また、多くの人が所有しているＰＤＡを含む携帯端末を利用するため、選択形式による参加者全員の意見集約を行う場合において、専用の端末を用意せずとも、テンキー等での簡易な入力操作により、迅速で正確な意見集約をワークショップの限られた時間内に行うことができるようになる。
【００２８】
意見情報の入力方法においては、入力した情報をサーバへ登録する際に、入力情報をバーコード化して携帯端末の画面に表示し、その画面をサーバに付随したバーコード読取装置を介して情報を登録することにより、守秘性を保ちつつ通信コストを抑えると同時に遅延がない確実な情報転送を実現することができる。
【００２９】
上記のように本発明の実施形態により、これまでのワークショップの形態で議論を進めることができるとともに、設置の手間やコストを抑えることができる。また携帯端末などから入力された情報はサーバに蓄積することにより、結果を即座に利用した議論が行えるとともに、結果を公開することで参加できなかった人も閲覧することが可能となる。
【００３０】
本発明は、上記の実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００３１】
また、例えば上記の実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３２】
【図１】本発明の一実施形態に係る意見集約システムの概略構成を示すブロック図。
【図２】本発明の一実施形態に係る携帯端末の構成を示すブロック図。
【図３】本発明の一実施形態に係るバーコード化アプリケーション提供サーバの動作フロー。
【図４】本発明の一実施形態に係る携帯端末の動作フロー。
【図５】本発明の一実施形態に係る意見集約サーバの動作フロー。
【図６】情報入力画面の構成を説明するための図。
【図７】２次元バーコード表示画面の構成を説明するための図。
【図８】本発明の一実施形態に係るテキスト形式の意見情報の管理方法を説明するための図。
【図９】本発明の一実施形態に係る選択形式の意見情報の管理方法を説明するための図。
【図１０】管理されたテキスト形式の意見情報の表示画面を説明するための図。
【図１１】管理された選択形式の意見情報の表示画面を説明するための図。
【符号の説明】
【００３３】
ＮＥＴ…インターネット
１０…意見集約サーバ
２０…バーコード読取装置
３０…バーコード化アプリケーション提供サーバ
１０１、１０２、１０３、１０４、１０５…携帯端末
１１１…機能
１１２…記憶装置
【図１】
2006059240.tif 000003
【図２】
2006059240.tif 000004
【図３】
2006059240.tif 000005
【図４】
2006059240.tif 000006
【図５】
2006059240.tif 000007
【図６】
2006059240.tif 000008
【図７】
2006059240.tif 000009
【図８】
2006059240.tif 000010
【図９】
2006059240.tif 000011
【図１０】
2006059240.tif 000012
【図１１】
2006059240.tif 000013